(57)【要約】      （修正有）【課題】加熱源の大きさや固定手段の選択自由度を損なうことなく、原価面でも優れ、商品力の高い、必要な部分のみを光らせることができ、使用者の視認性、安全性を高めた誘導加熱調理器を提供する。【解決手段】加熱源１１と、加熱源１１を収納するケース１２およびベース１３と、加熱源１１の上方で被加熱物を載置するトッププレート１４と、加熱源１１の出力を制御する制御基板と、加熱源１１の近傍で略外周の少なくとも一部に導光体１６と、導光体１６を収納する導光体収納部と、導光体収納部の少なくとも一部に空けられた開口部である入光手段１８と、入光手段１８近傍に導光体１６の入光部１９に光を照射する光源２０と、光源２０を収納する光源収納部２１とを備え、ケース１２と導光体収納部１７と光源収納部２１とを一体に形成した構成とすること。【選択図】図４
2014179255.tif 000002
【特許請求の範囲】
【請求項１】
加熱源と、前記加熱源の上方で被加熱物を載置するトッププレートと、前記トッププレートを下方から支えると共に前記加熱源を保持するケースと、前記加熱源の出力を制御する制御基板と、前記ケースの下方で前記ケースと共に前記加熱源及び前記制御基板を収納するベースと、前記加熱源近傍の略外周で前記加熱源に対して略同心円形状の少なくとも一部に配置される導光体と、前記導光体を収納する導光体収納部と、前記導光体収納部の少なくとも一部に空けられた開口部である入光手段と、前記入光手段近傍の前記導光体の入光部に光を照射する光源と、前記光源を収納する光源収納部と、を備え、前記導光体は、前記光源から照射する光を導光し且つ略上方へ反射し、前記光が前記トッププレートを通過して前記加熱源の略外周部分を発光させると共に、前記ケース、前記導光体収納部、及び前記光源収納部を一体に形成した構成の誘導加熱調理器。
【請求項２】
前記導光体の略下方で前記導光体収納部の内壁に光反射手段を更に有する請求項１に記載の誘導加熱調理器。
【請求項３】
前記導光体の内側であって前記加熱源の外周に遮光手段を更に有する請求項１または２に記載の誘導加熱調理器。
【請求項４】
前記遮光手段、前記ケース、前記導光体収納部、及び前記光源収納部を一体に形成した構成とした請求項３に記載の誘導加熱調理器。
【発明の詳細な説明】
【技術分野】
【０００１】
本発明は、一般家庭の台所や業務用の厨房等で使用される、誘導加熱調理器に関するものである。
【背景技術】
【０００２】
従来、この種の誘導加熱調理器における、加熱源の位置と加熱源動作していることを光によって使用者に認識させる導光体の保持に関する概略構成は、加熱源を支える加熱部に固定するものが一般的である（例えば、特許文献１参照）。
【０００３】
また、トッププレートを加工して発光源の光を導光させるものもある（例えば、特許文献２参照）。
【先行技術文献】
【特許文献】
【０００４】
【特許文献１】特開２０１１−０１４３４４号公報
【特許文献２】特開２００８−２７７０９７号公報
【発明の概要】
【発明が解決しようとする課題】
【０００５】
しかしながら、前述従来の構成では、導光体を収納するための部材や、必要部分のみを発光させるための部材が多くなるという課題と、導光体の保持に関する構成は加熱源の大きさあるいは固定手段に大きな制約を受けるという課題を有していた。
【０００６】
また、トッププレートを加工するやり方では、光源が発光させたい位置から遠くなり光源から発せられた光が発光させたい領域全体に届きにくいという課題を有していた。
【０００７】
本発明は、前記従来の課題を解決するもので、加熱源の大きさや固定方法の制約を受けず、使用者が望む加熱源を容易に提供できるとともに、原価面でも優れた、商品力の高い、視認性、安全性を高めた誘導加熱調理器を提供することを目的とする。
【課題を解決するための手段】
【０００８】
前記従来の課題を解決するために、本発明の誘導加熱調理器は、加熱源と、前記加熱源の上方で被加熱物を載置するトッププレートと、前記トッププレートを下方から支えると共に前記加熱源を保持するケースと、前記加熱源の出力を制御する制御基板と、前記ケースの下方で前記ケースと共に前記加熱源及び前記制御基板を収納するベースと、前記加熱源近傍の略外周で前記加熱源に対して略同心円形状の少なくとも一部に配置される導光体と、前記導光体を収納する導光体収納部と、前記導光体収納部の少なくとも一部に空けられた開口部である入光手段と、前記入光手段近傍の前記導光体の入光部に光を照射する光源と、前記光源を収納する光源収納部と、を備え、前記導光体は、前記光源から照射する光を導光し且つ略上方へ反射し、前記光が前記トッププレートを通過して前記加熱源の略外周部分を発光させると共に、前記ケース、前記導光体収納部、及び前記光源収納部を一体に形成した構成とすることにより、加熱源の大きさや固定方法の制約を受けず、使用者が望む加熱源を容易に提供できるとともに、原価面でも優れた、商品力の高い、視認性、安全性を高めた誘導加熱調理器とすることができる。
【発明の効果】
【０００９】
本発明の誘導加熱調理器によれば、加熱源の大きさや固定方法の制約を受けず、使用者
が望む加熱源を容易に提供できるとともに、原価面でも優れた、商品力の高い、視認性、安全性を高めた使い勝手の良い誘導加熱調理器を実現できる。
【図面の簡単な説明】
【００１０】
【図１】本発明の実施の形態１における誘導加熱調理器の斜視図
【図２】本発明の実施の形態１における誘導加熱調理器の斜視図
【図３】本発明の実施の形態１における誘導加熱調理器の分解展開図
【図４】本発明の実施の形態１における誘導加熱調理器の分解展開図
【図５】本発明の実施の形態１における誘導加熱調理器の断面詳細図
【図６】本発明の実施の形態２における誘導加熱調理器の断面詳細図
【図７】本発明の実施の形態３における誘導加熱調理器の断面詳細図
【図８】本発明の実施の形態４における誘導加熱調理器の断面詳細図
【発明を実施するための形態】
【００１１】
第１の発明は、加熱源と、前記加熱源の上方で被加熱物を載置するトッププレートと、前記トッププレートを下方から支えると共に前記加熱源を保持するケースと、前記加熱源の出力を制御する制御基板と、前記ケースの下方で前記ケースと共に前記加熱源及び前記制御基板を収納するベースと、前記加熱源近傍の略外周で前記加熱源に対して略同心円形状の少なくとも一部に配置される導光体と、前記導光体を収納する導光体収納部と、前記導光体収納部の少なくとも一部に空けられた開口部である入光手段と、前記入光手段近傍の前記導光体の入光部に光を照射する光源と、前記光源を収納する光源収納部と、を備え、前記導光体は、前記光源から照射する光を導光し且つ略上方へ反射し、前記光が前記トッププレートを通過して前記加熱源の略外周部分を発光させると共に、前記ケース、前記導光体収納部、及び前記光源収納部を一体に形成した構成とする。このような構成とすることにより、加熱源の大きさや固定方法の制約を受けず、使用者が望む加熱源を容易に提供できるとともに、原価面でも優れた、商品力の高い、視認性、安全性を高めた誘導加熱調理器とすることが可能となる。
【００１２】
第２の発明は、特に、第１の発明において、前記導光体の略下方で前記導光体収納部の内壁に光反射手段を更に有する構成としたものである。このように光反射手段を更に設けることにより、使用者に確実に光を届けることができ、視認性が更に向上する構成となる。
【００１３】
第３の発明は、特に、第１または第２の発明において、前記導光体の内側であって前記加熱源の外周に遮光手段を更に有する構成としたものである。
【００１４】
このような構成とすることで、必要な部分のみを光らせることができ、使用者にとって、視認性の良い、安全性を高めた構成とすることが可能となる。
【００１５】
第４の発明は、特に、第３の発明において、前記遮光手段、前記ケース、前記導光体収納部、及び前記光源収納部を一体に形成した構成としている。このような構成とすることで、必要な部分のみを光らせることができ、使用者に視認性の良い、安全性を高めた、部品点数の少ない原価を低減した構成とすることが可能となる。
【００１６】
以下、本発明の実施の形態について、図面を参照しながら説明する。なお、この実施の形態によって本発明が限定されるものではない。
【００１７】
（実施の形態１）
図１は本発明の第１の実施の形態における誘導加熱調理器の斜視図、図２は本発明の第１の実施の形態における誘導加熱調理器の斜視図、図３は本発明の第１の実施の形態にお
ける誘導加熱調理器の分解展開図、図４は本発明の第１の実施の形態における誘導加熱調理器の分解展開図、図５は本発明の第１の実施の形態における誘導加熱調理器の断面詳細図である。以下、図面を用いて説明する。尚、これ以降に示す実施の形態は天板下方に配した加熱手段が電磁誘導加熱式のものについてのものである。また、本実施の形態は卓上型の誘導加熱調理器についてのものであるが、本発明がこの方式に限定されるものではない。
【００１８】
本実施の形態における誘導加熱調理器は、加熱源１１と、加熱源１１の上方で被加熱物を載置するトッププレート１４と、トッププレート１４を下方から支えると共に加熱源１１を保持するケース１２と、加熱源１１の出力を制御する制御基板１５と、ケース１２の下方でケース１２と共に加熱源１１及び制御基板１５を収納するベース１３と、加熱源１１近傍の略外周で加熱源１１に対して略同心円形状の少なくとも一部に配置される導光体１６と、導光体１６を収納する導光体収納部１７と、導光体収納部１７の少なくとも一部に空けられた開口部である入光手段１８と、入光手段１８近傍に導光体１６の入光部１９に光を照射する光源２０と、光源２０を収納する光源収納部２１を備え、導光体１６は、光源２０から照射する光を導光し且つ略上方へ反射し、前記光がトッププレート１４を通過して加熱源１１の略外周部分を発光させると共に、ケース１２と導光体収納部１７と光源収納部２１とを一体に形成した構成としている。
【００１９】
加熱源に磁界を発生し鍋等を加熱する誘導加熱コイルの加熱源を有する誘導加熱調理器の場合、調理器の動作を制御する制御基板が加熱源で発生した熱により加熱される。
【００２０】
更に、誘導加熱コイルにより鍋を発熱させる誘導加熱調理器においては、誘導加熱コイルや内部の制御基板の回路上を流れる電流と回路が持つ電気抵抗により誘導加熱コイルや制御基板が自己発熱する。誘導加熱コイルや制御基板上の部品を耐熱温度以下に温度を下げるために、調理器外部の空気を吸気し、内部の部品を冷却した後、排気する強制空冷方式の冷却構成が必要となる。本実施の形態の加熱調理器では、例えば、ベース１３の底面に吸気口２２が、側面の壁で後ろ側に排気口２３が設けられる構成となっている。
【００２１】
また、加熱源１１は、特に誘導加熱調理器の場合、動作しているか、していないかについて使用者は視覚的にわかり難い。加熱源１１にガスなどの炎を用いた加熱調理器の場合には燃焼ガスに色があるためわかり易い。
【００２２】
また、電気的な抵抗に電流を流すことにより、ジュール熱を発生させる加熱源等を有する加熱調理器の場合も、加熱源１１自体が赤熱することにより、加熱源１１が動作しているか、していないかについて使用者は視覚的にわかり易いが、誘導加熱調理器の場合には交差磁界を加熱源１１から発生させ鍋などの非加熱物に渦電流を発生させ、非加熱物の内部電気抵抗により発熱する仕組みのために、使用者が加熱中であるか否かを視覚的には認識し難い。
【００２３】
視覚的にわかり易くするために、導光体１６に対し、入光部１９から光を光源２０から入光させ、導光体１６内部で光を導光させると同時に略上方へと反射させることにより、トッププレート１４を介して光が透過することで、加熱部の周辺で略外周部分を発光させる構成としている。導光体収納部１７はケース１２側に設けられ、加熱源１１とは別体で構成されている。
【００２４】
一般的に動作中に発光させることが多い。光源には赤色の光を発光するＬＥＤが用いられる場合が多いが、意匠性を鑑み青色や、橙色、黄色など他の色を用いてもよい。導光体１６はケース１２側に設けられた導光体収納部１７に上方から取り付け固定される構成となっている。導光体収納部１７の断面は略コの字型であることが望ましい。
【００２５】
導光体１６内を導光した光が周囲（導光体の下方と側方）に漏れ出ることなく、導光体１６の上方にのみ発光することが可能となる。導光体収納部１７の色相は表面が黒、もしくは白が望ましい。黒であると遮光性が高まり、白であると導光体１６から漏れ出た光を導光体収納部１７で反射させて、導光体１６内部へと戻すことが可能となる。
【００２６】
一方、従来の誘導加熱調理器では、加熱源１１と導光体収納部１７は一体で構成されている。更に、導光体収納部１７に加熱源１１の固定手段を一体化させる構成となっている。しかしながら、加熱源１１の大きさや取り付け位置を変更検討する場合、加熱源１１と導光体収納部１７が一体に固定される形状になっているために、変更の自由度が少なく、結果として変更しがたい構成となる。加熱源１１とともに導光体１６や固定形状を含めた部分の取り付け位置を検討する必要があり、部品ユニットとして非常に大きな構成となる。大きな構成となるため、例えば特に卓上型の加熱調理器のような本体内部の空間が狭い調理器に搭載するとなると大きなユニットを配置することは困難となる。
【００２７】
従来の誘導加熱調理器と比較して、本発明の誘導加熱調理器では、意匠性に富んだ、使い勝手の良い、加熱領域の視認性に優れた誘導加熱調理器とすることができる。
【００２８】
（実施の形態２）
図６は本発明の第２の実施の形態における誘導加熱調理器の詳細を示すものである。以下、図面を用いて説明する。本実施の形態における誘導加熱調理器は、実施の形態１に加えて、特に第１の発明において、導光体１６の略下方で導光体収納部１７の内壁に光反射手段２４を更に有する構成とする。このように光反射手段２４を更に設けることにより、使用者に確実に光を届けることができ、視認性が更に向上する構成となる。
【００２９】
このように導光体収納部１７の略下方に、光反射手段２４を更に有することで加熱源１１の動作状況を使用者に的確に視覚的に伝えることができる構成となる。
【００３０】
（実施の形態３）
図７は本発明の第３の実施の形態における誘導加熱調理器の詳細図を示すものである。以下、図面を用いて説明する。特に、第１または第２の実施の形態において、導光体１６の内側であって加熱源１１の略外周に遮光手段２５を更に有した構成としている。
【００３１】
また、トッププレート１４が半透過性の場合、例えば黒色の材料を用いている場合、このような構成にすることで誘導加熱調理器の外部から使用者が、内部の部材、例えば加熱源１１や周辺の制御基板１５などを、光源２０や導光体１６もしくは導光体収納部１７から漏れ出た光によって、光って見えることを防止できる。遮光手段２５には発泡部材やゴムまたはエラストマーなどの弾性体を用いると良い。
【００３２】
トッププレート１４と遮光手段２５に生じる隙間を確実に埋めることができ、確実に遮光する性能が得られるためにこのような構成とすることが望ましい。トッププレート１４に透明の材料を用い、その表面あるいは裏面に印刷などの遮光手段により光の開口部を設け、その開口部に光を透過させる構成の場合においても同様の効果が得られる。
【００３３】
このような構成とすることで、必要な部分のみを光らせることができ、使用者に視認性の良い、使い勝手が優れた構成とすることが可能となる。
【００３４】
（実施の形態４）
図８は本発明の第４の実施の形態における誘導加熱調理器の詳細図を示すものである。以下、図面を用いて説明する。特に、第３の実施の形態における、遮光手段２５をケース
１２と導光体収納部１７と光源収納部２１とを一体で形成して本実施の形態の遮光手段２５と導光体収納部１７とする。このような構成とすることで、必要な部分のみを光らせることができ、使用者に視認性の良い、安全性を高めた、部品点数の少ない原価を低減した構成とすることが可能となる。
【産業上の利用可能性】
【００３５】
以上のように、本発明にかかる誘導加熱調理器は、加熱源を備えた誘導加熱調理器において、加熱源の大きさや固定手段の選択自由度を損なうことなく、必要な部分のみを光らせることができ、使用者に視認性の良い、使い勝手が優れた誘導加熱調理器を実現できるもので、他の種類の加熱調理器全般に有効である。
【符号の説明】
【００３６】
１１  加熱源
１２  ケース
１３  ベース
１４  トッププレート
１５  制御基板
１６  導光体
１７  導光体収納部
１８  入光手段
１９  入光部
２０  光源
２１  光源収納部
２２  吸気口
２３  排気口
２４  光反射手段
２５  遮光手段
【図１】
2014179255.tif 000003
【図２】
2014179255.tif 000004
【図３】
2014179255.tif 000005
【図４】
2014179255.tif 000006
【図５】
2014179255.tif 000007
【図６】
2014179255.tif 000008
【図７】
2014179255.tif 000009
【図８】
2014179255.tif 000010